(57)【要約】【課題】スイングの基本であるインパクト前後におけるクラブヘッドの軌道がインサイドインとなる三次元軸（平面Ｘ−Ｙ／縦面Ｚ）での正しいスイング動作を身に付け、その応用動作が可能かつダフリやトップの解消、打球の方向性を改善するための練習器具の提供を課題とする。【解決手段】練習器具は、平面Ｘ−Ｙ軸に円弧を形成する弓と縦面Ｚ軸に円弧を形成する弦と弦の高さを調整できるスタンドで構成した軌道モデルを提供することを特徴とする。また、軌道モデルはインパクト前後におけるインサイドインの円軌道に加え、意図したアウトサイドインまたはインサイドアウトの円軌道、あるいは低い打球または高い打球を打つ円軌道を作り出すために三次元軸（平面Ｘ−Ｙ／縦面Ｚ）での円弧の大きさが自在に変えられる構造とすることを特徴とする。【選択図】図１
2016202353.tif 000002
【特許請求の範囲】
【請求項１】
三次元軸（平面Ｘ−Ｙ／縦面Ｚ）の傾斜角を持った円弧状の弓と直線状の円弧の大きさを変えられる弦からなり、図１、４、６及び１０のごとくクラブヘッドの付け根が円弧状の弓をなぞりながらスイングすることで、二次元軸（平面Ｘ−Ｙ）状態または三次元軸（平面Ｘ−Ｙ／縦面Ｚ）状態で正しいクラブの振り方を習得できるゴルフスイング練習器具。
【請求項２】
図１６の実施例Ａに示すように、曲げることで真円に近い円弧を形成する弾力性のある丸または角棒状の材料を使用した通常のスイングアーク確認用の弓Ａ（１１）とアーリーコックによるスイングアーク確認用の弓Ｂ（１２）、スチールワイヤー等を使用した弦（１３）と図２の符号１５部の拡大図に示す機構を有し、弦（１３）の長さを変えることで二次元軸（平面Ｘ−Ｙ）の円弧の大きさが自在に変えられるゴルフスイング練習器具。
【請求項３】
図１６の実施例に示すように、地上に置いた状態で弦の高さ（Z軸）を変えることでアドレス目線から見た弓の円弧径が変わる弦高さ調整用スタンド（１４）を有し、三次元軸（平面Ｘ−Ｙ／縦面Ｚ）での弓の円弧をクラブヘッドの付け根をなぞることで正しいスイング軌道を確認し、スィング動作を矯正することができるゴルフスイング練習器具。
【請求項４】
図１６の実施例Ａに示すように、弓Ａ（１１）の円弧径を変えるための弦（１３）の長さ調整及び固定方法の例を符号１５部及び図２の符号１５部の拡大図に示すが、この他に巻き取り方式或いは長さを決めた後、弓Ａ（１１）の端末に施したＶ溝に食い込ませる方式等で弦（１３）の長さを固定し、弓Ａ（１１）の円弧径が変えられる機能を有したゴルフスイング練習器具。
【請求項５】
図１６の実施例Ａに示すように、弓Ｂ（１２）の円弧径を変えるための最も簡便な方法の例を示すが図２の符号１６部の拡大図に示す通り、弓Ｂ（１２）の端末近辺に明けた穴に弦（１３）を通して弓Ｂ（１２）の両端末を狭めることでできる円弧状となった弓Ｂ（１２）が固定され、所定の円弧径を確保する構造を有したゴルフスイング練習器具。
【請求項６】
図１エラー! リンクが正しくありません。Ａに示すように
直線状のワイヤー弦（１３）は弓Ｂ（１２）の円弧の大きさを変える役割に加え、グリップ部の手の動きが直線移動をすることを確認できる機能を有したゴルフスイング練習器具。
【請求項７】
図６の実施例Ｂに示すように、曲げにより円弧を形成する弾力性のある板状棒の材料を使用した通常のスイングアーク確認用の弓Ａ（２１）とアーリーコックによるスイングアーク確認用の弓Ｂ（２２）、棒状の弦（２３）及び図９の拡大図に示す弦長さ調整スライダー（２５ａ）等のスライド機構を有し、図８符号２５に示す通り、弦長さ調整スライダー（２５ａ）を図８符号２５に示す通り左右に移動させることによって二次元軸（平面Ｘ−Ｙ）の円弧の大きさが自在に変わるゴルフスイング練習器具。
【請求項８】
図６の実施例Ｂに示すように、地上に置いた状態で弦の高さ（Z軸）を変えることでアドレス目線から見た弓の円弧径が変わる弦高さ調整用スタンド（２４）を有し、三次元軸（平面Ｘ−Ｙ／縦面Ｚ）での弓の円弧をクラブヘッドの付け根をなぞることで三次元軸（平面Ｘ−Ｙ／縦面Ｚ）での正しいスイング軌道を確認し、スィング動作を矯正することができるゴルフスイング練習器具。
【請求項９】
図６の実施例Ｂに示すように、棒状の弦（２３）は弦長さ調整スライダー（２５ａ）による弓Ａ（２１）及び弓Ｂ（２２）の円弧の大きさを変える役割に加え、グリップ部の手の動きが直線移動をすることを確認できる機能を有したゴルフスイング練習器具。
【請求項１０】
図１の実施例Ａ及び図６の実施例Ｂとも、通常のスイングアークのみの一つの弓（１１）または弓（２１）で構成することも可能なゴルフスイング練習器具。
【請求項１１】
図１の実施例Ａ及び図６の実施例Ｂとも、弦を傾けることで低い打球または高い打球を打つ円軌道を作り出す機構を有するゴルフスイング練習器具。
【請求項１２】
図１の実施例Ａ及び図６の実施例Ｂとも、弓Ａ（１１）と（２１）または弓Ｂ（１２）と（２２）の曲げを開放することで弓を直線化し、かつ、図１または図６の弦高さ調整用スタンド（１４）及び図１の弦高さ調整用スタンド（２４）を折りたたむことでキャディーバックに収納可能な携帯性を有するゴルフスイング練習器具。
【発明の詳細な説明】
【技術分野】
【０００１】
本発明は、ゴルフ練習器具に関し、具体的にゴルフスイングの練習器具に関する。
【背景技術】
【０００２】
インパクトの前後のスイングにおいて、意図したアウトサイドインまたはインサイドアウトに振り抜くことはあるが、通常、クラブヘッドは水平面に対してインサイドインの円軌道となることと、垂直面に対してはクラブヘッドは支点から先端の錘の距離が変わらない時計の振り子と同様の円軌道となることが基本である。
【０００３】
特に、初級段階あるいはゴルフ歴は長いがスコアが改善しないゴルファーに見られる傾向として、スイングが安定しておらず、意図したインサイドイン、アウトサイドインまたはインサイドアウトのクラブヘッド軌道を通る確率が低いことでショットが乱れていることが覗われる。故に、意図したクラブヘッド軌道を通るためには、どのような身体の動きをすればいいのか習得する必要がある。
【０００４】
正しいスイング動作を身に付けるには、先ず、方向性を含め１ヤードの距離を確実に打つことから始まるといわれているが、二次元軸（平面Ｘ−Ｙ）のインサイドインを意識したスイングと縦軸を加えた三次元軸（平面Ｘ−Ｙ／縦面Ｚ）のインサイドインを意識したスイングでの打球の安定性が大きく変わる。
【０００５】
時計の８時４時を振り幅する繊細なショートアプローチにおいては、クラブヘッドの軌道が不安定になるとザックリ、トップ、シャンクが出易くなる傾向がある。
【０００６】
ゴルフのスイングに関するレッスンビデオ、書籍等の情報過多により適切なスイングのための多くのチェックポイントを意識し過ぎ、更に、新たな情報入手の度にチェックポイントを増やすことで適切なスイングが身に付き難い傾向がある。
【０００７】
従来のゴルフスイングを練習する為の用具は、正しいスイングプレーンを形成するためのものではあるが、クラブシャフトを正しいスイングプレーン上に走らせることに狙いを置いたものが多く、クラブヘッドを正しい軌道上に走らせる用具となっていない傾向があり、ダフリやトップの一因となるインパクト時の手首のコックの緩みをチェックでき難いものとなっている。また、インパクト前後におけるインサイドインに加え、意図したアウトサイドインまたはインサイドアウト、あるいは低い打球または高い打球のための円軌道モデルが提供されていない傾向がある。
【先行技術文献】
【特許文献】
【０００８】
【特許文献１】特表２０１５−５０９０２０
【特許文献２】特表２０１０−５１２２００
【特許文献３】特開２０１０−０８２４０９
【特許文献４】特開２００６−２３９３８１
【特許文献５】特願２００３−１７９４２６
【特許文献６】実開平０２−１４１４８１
【０００９】
特許文献１には、支持ロッドを含み、支持ロッド上に異なる同一平面上にないバックスイングの軌跡軌道及びダウンスイングの軌跡軌道を設け器具が開示されている。
【００１０】
特許文献２には、スイング飛び弾道を持つスイングプレーンの傾斜角を有し、充気できる中空の弾性材料で作る密封袋体により構成することを特徴とする充気式の器具が開示されている。
【００１１】
特許文献３には、ゴルファーの飛球線後方で、飛球線とほぼ直角のスイングプレーン面上にスイングプレーンガイド棒を設置して、スイングプレーンを視覚的に確出来るようにし、実際のスイングがスイングプレーンに乗ったスイングとなるように視覚的に確認できるようにする器具が開示されている。
【００１２】
特許文献４には、２枚の風切板を取り付けた練習器具により、物理的な方法で理想のスイングを体感して、これによりゴルフスイングの上達を図る器具が開示されている。
特許文献５には、肩の移動（スイングプレーン）によって正しい腕の振り方を習得するために肩幅と略等しい大きさの直径を有するリング体と、リング体を肩の上側で首の周辺に支持させる係止体とを設けることを特徴とする器具が開示されている。
【００１３】
特許文献６には、円弧状に湾曲された管状の軌道上部材とその管状の軌条部材を所要の起立姿勢に支持する支持部材とからなり、練習用クラブのヘッドを軌条部内に入れ、正しいスイングを習得する器具が開示されている。
【発明の概要】
【発明が解決しようとする課題】
【００１４】
特に、インパクト前後における二次元軸（平面Ｘ−Ｙ）または三次元軸（平面Ｘ−Ｙ／縦面Ｚ）での通常のショット時のアークに加え、アーリーコックによるアークで意図した正しいクラブヘッドの軌道を作るスイング動作を身に付け、ダフリやトップの解消、打球の方向性を改善するための練習器具の提供を課題とする。
【００１５】
スイングの基本である三次元軸（平面Ｘ−Ｙ／縦面Ｚ）レベルでのインパクト前後におけるインサイドインの円軌道に加え、意図したアウトサイドインまたはインサイドアウトの円軌道、あるいは低い打球または高い打球を打つ円軌道を作り出すためのスイング動作を身に付けるための練習器具の提供を課題とする。
【００１６】
使用するクラブの長さ、使用する者の身長及び腕の長さによって変わるスイングアークの大きさの変化に対応できるアーク径を自在に作り出す機構を有した練習器具の提供を課題とする。
【課題を解決するための手段】
【００１７】
上記課題を解消するために、本発明は、以下のような特徴を有する。
本発明は、特に、ダフリやトップの解消、打球の方向性を改善するためのインパクト前後における二次元軸（平面Ｘ−Ｙ）または三次元軸（平面Ｘ−Ｙ／縦面Ｚ）でのクラブヘッドの正しい軌道を確認し、スイング動作を矯正練習するためにクラブヘッドの軌道モデルを提供することを特徴とする。
【００１８】
課題を解消するために図１及び図３に示す軌道モデルを形成するために基本構造として、平面Ｘ−Ｙ軸に円弧を作り出す弓と弦及び縦面Ｚ軸を作り出す弦高さ調整用スタンドで構成することを特徴とする。
【００１９】
軌道モデルは、インパクト前後におけるインサイドインの円軌道に加え、意図したアウトサイドインまたはインサイドアウトの円軌道、あるいは低い打球や高い打球を打つ円軌道モデルを作り出すために三次元軸（平面Ｘ−Ｙ／縦面Ｚ）円弧が自在に変えられる構造とすることを特徴とする。
【００２０】
以上の課題を考慮に入れ、携帯性、使用の簡便性に優れたゴルフスイング練習器具を提供するとよい。
【発明の効果】
【００２１】
本発明のゴルフスイング練習器具を使用し、図１、４、６及び１０に示すようにクラブヘッドの付け根で器具の円弧（弓）をスローモーションでなぞった反復練習を行うことで、正しい身体の動きが身に付き、短時間で顕著なダフリやトップの解消、打球の方向性改善が見られる。
【００２２】
本発明のゴルフスイング練習器具を使用しないでショットを繰り返した結果、これまでの悪い癖が現れ、ショットが乱れ始めたことでスイング動作を色々な点からチェックしていくことで益々悩んでいくことが常で、よくショットは日替わりメニューと諦める心理が働いく傾向があるが、ゴルフスイング練習器具を使用することでスイング動作の“肝”をシンプルに確認でき、短時間に矯正することができるようになる。
【００２３】
本発明のゴルフスイング練習器具を使用するのは自宅または練習場での平坦な場所が多くなろうが、実際のコースでは、特に難しい技術を必要とする“斜め前上がりあるいは前下がり”等の複雑な傾斜状態での多くのショットを余儀なくされる。
本器具をそのような条件下で使用し、スローモーションで反復練習を行うことでクラブヘッドの軌道及びクラブフェイスの向きを考慮したスイング動作の“肝”を体感することができ易い。
【００２４】
本発明のゴルフスイング練習器具による実証テストの結果、特に、時計の８時４時を振り幅とする繊細なショートアプローチにおいて、スイング動作の“肝”を会得することに大きな効果を発揮するが、アイアンによる通常のフルショットあるいはハーフショットにおいても顕著な波及効果が見られる。
【００２５】
本発明のゴルフスイング練習器具は、アイアンショットのみならずドライバーショットにも使用することでボールをアッパーブローに捉えるスイング動作の“肝”を知ることができる。そのことが、打球の方向性安定に加え、ミート率のアップ及び適正なスピン量を生み出すことが可能となり、飛距離が伸びる効果が見られる。
【００２６】
本発明のゴルフスイング練習器具は、弓の円弧径を緩慢することでインサイドインに振り抜くパッティング練習にも活用ができることでパターヘッド軌道が安定し、引っ掛けや押し出し等のミスが軽減する効果が見られる。
【発明を実施するための形態】
【００２７】
図１は本発明の実施例Ａに係るゴルフスイング練習器具の全体構造を示す斜視図であり、クラブヘッドの根元が弓Ａ（１１）をなぞって動いていく状態を示している。
また、図２は二次元軸（平面Ｘ−Ｙ）でのアーク（円弧）径を変えるため弦の長さを調整する図１の符号１５及び１６部を拡大して示す断面図であり、符号１５部では拡大断面図に示す通り弓Ａ（１１）の末端近辺に明けられた穴にワイヤー弦（１３）を通し、張られた弦を弦固定ネジ（１３ａ）で締め付ける構造となっている。一方、符号１６部では拡大断面図に示す通り弓Ｂ（１２）の端末近辺に明けた穴に弦（１３）を通して弓Ｂ（１２）の両端末を狭めることで円弧状となった弓Ｂ（１２）が固定され、所定の円弧径を確保する構造となっている。
また、図３は三次元軸（平面Ｘ−Ｙ／縦面Ｚ）でのアーク（円弧）径を変えるため弦高さ調整用スタンド（１４）の斜視図であり、弦高さ調整アーム（１４ａ）を上げ下げし、縦面Ｚ軸の高さ（Ｈ）を変えることで、破線円弧で示すようにアドレス目線から見た弓Ａ（１１）及び弓Ｂ（１２）の円弧の大きさが見かけ上変わることになる。
更に、図３中の図３a及び図３ｂのごとく、弦を傾けることで低い打球や高い打球を打つ軌道モデルを提供することができる。これは、本発明の実施例Ｂで同様である。
【００２８】
図４は本発明の実施例Ａを示すゴルフスイング練習器具の全体構造を示す側面図であり、弓Ａ（１１）及び弓Ｂ（１２）がスイングプレーンに沿って傾斜している構造となっており、弦高さ調整用アーム（１４ａ）を上げ・げすることで傾斜角を変えられるものとなっていることでプレーヤーのアドレスの特徴に応じた傾斜角とすることができる。
【００２９】
図５は本発明の実施例Ａを示すゴルフスイング練習器具の携帯可能状態を示す斜視図であり、弦高さ調整用スタンド（１４）を折りたたみ、符号１５部でワイヤー弦（１３）の固定を開放することで携帯性の良い形状となる。
【００３０】
図６は本発明の実施例Ｂに係るゴルフスイング練習器具の全体構造を示す斜視図であり、クラブヘッドの根元が弓Ａ（２１）をなぞって動いていく状態を示している。
また、図７は全体構造を示す平面図であり、符号２５部に示す方法で弓Ａ（２１）及び弓Ｂ（２２）の二次元軸（平面Ｘ−Ｙ）での円弧径を変えることができ、図８は弦の長さを調整する符号２５部を拡大断面図で弦長さ調整用スライダー（２５ａ）の構造を示す。
【００３１】
図９は本発明の実施例Ｂを示すゴルフスイング練習器具の三次元軸（平面Ｘ−Ｙ／縦面Ｚ）での円弧径を変えるため弦の高さを調整する部位の斜視図であり、弦高さ調整用アーム（２４ａ）を上げ下げし、縦面Ｚ軸の高さ（Ｈ）を変えることで、破線円弧で示すようにアドレス目線から見た弓Ａ（１１）及び弓Ｂ（１２）の円弧の大きさが見かけ上変わることになる。
【００３２】
図１０は本発明の実施例Ｂを示すゴルフスイング練習器具の全体構造を示す側面図であり、弓Ａ（２１）及び弓Ｂ（２２）がスイングプレーンに沿って傾斜している構造となっており、弦高さ調整用アーム（２４ａ）を上げ下げすることで傾斜角を変えられるものとなっていることでプレーヤーのアドレスの姿勢や特徴に応じた傾斜角とすることができる。
【００３３】
図１１は本発明の実施例Ｂを示すゴルフスイング練習器具の携帯可能状態を示す斜視図であり、弦高さ調整用スタンド（２４）を折りたたみ、弦長さ調整スライダー（２５ａ）の固定を開放することで携帯性の良い形状となる。
【図面の簡単な説明】
【００３４】
【図１】本発明の実施例Ａを示すゴルフスイング練習器具の全体構造を示す斜視図である。
【図２】本発明の実施例Ａを示すゴルフスイング練習器具の二次元軸（平面Ｘ−Ｙ）でのアーク（円弧）径を変えるため弦の長さを調整する符号１５及び１６部を拡大して示す断面図である。
【図３】本発明の実施例Ａを示すゴルフスイング練習器具の三次元軸（平面Ｘ−Ｙ／縦面Ｚ）でのアーク（円弧）径を変えるため弦の高さを調整する弦高さ調整用スタンド（１４）  の斜視図である。
【図４】本発明の実施例Ａを示すゴルフスイング練習器具の全体構造を示す側面図である。
【図５】本発明の実施例Ａを示すゴルフスイング練習器具の携帯可能状態を示す斜視図である。
【図６】本発明の実施例Ｂを示すゴルフスイング練習器具の全体構造を示す斜視図である。
【図７】本発明の実施例Ｂを示すゴルフスイング練習器具の全体構造を示す平面図である。
【図８】本発明の実施例Ｂを示すゴルフスイング練習器具の二次元軸（平面Ｘ−Ｙ）でのアーク（円弧）径を変えるため弦の長さを調整する符号２５部を拡大して示す断面図である。
【図９】本発明の実施例Ｂを示すゴルフスイング練習器具の三次元軸（平面Ｘ−Ｙ／縦面Ｚ）でのアーク（円弧）径を変えるため弦の高さを調整する部位の斜視図である。
【図１０】本発明の実施例Ｂを示すゴルフスイング練習器具の全体構造を示す側面図である。
【図１１】本発明の実施例Ｂを示すゴルフスイング練習器具の携帯可能状態を示す斜視図である。
【符号の説明】
【００３５】
１１  ：弓Ａ。
１２  ：弓Ｂ。
１３  ：ワイヤー弦。
１３ａ：弦固定ネジ。
１４  ：弦高さ調整用スタンド。
１４ａ：弦高さ調整用アーム。
１４ｂ：アーム固定ネジ。
１４ｃ：弦高さ調整用ベース。
１５ａ：弦固定ネジ。
２１  ：弓Ａ。
２２  ：弓Ｂ。
２３  ：弦（棒）。
２３ａ：弦固定ネジ。
２４ ：弦高さ調整用スタンド。
２４ａ：弦高さ調整用アーム。
２４ｂ：弦高さ調整用固定ネジ。
２４ｃ：アーム固定ネジ。
２４ｄ：弦高さ調整用ベース。
２５ａ：弦長さ調整スライダー。
【図１】
2016202353.tif 000003
【図２】
2016202353.tif 000004
【図３】
2016202353.tif 000005
【図４】
2016202353.tif 000006
【図５】
2016202353.tif 000007
【図６】
2016202353.tif 000008
【図７】
2016202353.tif 000009
【図８】
2016202353.tif 000010
【図９】
2016202353.tif 000011
【図１０】
2016202353.tif 000012
【図１１】
2016202353.tif 000013